(57)【要約】  【課題】メニュー選択画面を見ながらスムーズに機能の選択や調整を行う。  【解決手段】本電子機器１は、表示デバイス６の表示画面の中心から外周に向かう複数の方向に対して各々の方向ごとに、電子機器の機能あるいは特性を選択または調整するためのメニュー項目が１つずつ配置されているメニュー選択画面を生成または保持するＯＳＤ部４と、メニュー選択画面でのメニュー項目の配置の方向と数に対応して、メニュー項目を一の操作で指定可能な操作方向を複数もつ、たとえばリモコンキー１１内の８方向ジョイスティック型操作キーとを有する。  【選択図】図１
2006350721.tif 000002
【特許請求の範囲】
【請求項１】
表示デバイスに映像を表示可能な電子機器であって、
前記表示デバイスの表示画面の中心から外周に向かう複数の方向に対して各々の方向ごとに、前記電子機器の機能あるいは特性を選択または調整するためのメニュー項目が１つずつ配置されているメニュー選択画面を生成または保持するＯＳＤ部と、
前記メニュー選択画面での前記メニュー項目の配置の方向と数に対応して、メニュー項目を一の操作で指定可能な操作方向を複数もつ操作キーと
を有する電子機器。
【請求項２】
前記操作キーからの操作に応じて前記ＯＳＤ部を制御する制御手段をさらに有し、
前記制御手段は、前記メニュー選択画面が前記表示デバイスに表示されてから最初に前記操作キーが一の方向に操作されたときに、当該操作方向に対応する配置方向の所定のメニュー項目が選択されたことをメニュー選択画面上で表示し、つぎに所定方向のキー操作があったときは、当該キー操作に応じて前記選択されたメニュー項目の調整値の変更を実行する
請求項１に記載の電子機器。
【請求項３】
前記操作キーからの操作に応じて前記ＯＳＤ部を制御する制御手段をさらに有し、
前記制御手段は、前記メニュー選択画面が前記表示デバイスに表示されてから前記操作キーが一の方向に操作されたときに、当該操作方向に対応する配置方向のメニュー項目の調整値を順送りに切り換え表示し、操作キーの操作が終了した時点で前記調整値の順送りを停止する制御を実行する
請求項１に記載の電子機器。
【請求項４】
前記特性の調整のためのメニュー選択画面は、スケールを有するグラフとして調整値が視覚的に表示される
請求項１に記載の電子機器。
【請求項５】
前記特性の調整のためのメニュー選択画面は、中心から各コーナの頂点までの距離により調整値を表示する多角形グラフ表示画像を含む
請求項１に記載の電子機器。
【請求項６】
前記中心から各コーナの頂点までの距離が前記調整値の各々の推奨値に設定された多角形グラフ表示画像である画質調整の推奨グラフを保持するメモリ部をさらに有し、
前記制御手段は前記ＯＳＤ部を制御して、画質調整のためのメニュー選択画面に、当該メニュー選択画面に対応した前記推奨グラフを重ねて表示させる制御を実行する
請求項５に記載の電子機器。
【請求項７】
前記メモリ部は、複数の番組カテゴリーごとに、各々のカテゴリーに適した前記画質調整の推奨グラフを保持し、
前記制御部は、表示デバイスに表示させる映像のデータに添付されている電子番組ガイド（ＥＰＧ）のデータを取得する手段からＥＰＧデータを入力し、前記番組カテゴリーを検出して、検出した番組カテゴリーに適した前記画質調整の推奨グラフを前記メモリ部から前記ＯＳＤ部に読み出す制御を実行する
請求項６に記載の電子機器。
【請求項８】
前記制御部は、ユーザによる画質調整のための前記多角形グラフ表示画像に対し、その初期値を前記番組カテゴリーに適した画質調整の推奨グラフと同じ値に設定する制御を実行する
請求項７に記載の電子機器。
【発明の詳細な説明】
【技術分野】
【０００１】
本発明は、表示デバイスに表示されたメニュー選択画面上で機能あるいは特性を選択または調整する電子機器に関する。
【背景技術】
【０００２】
近年、電子機器の多機能化が進展している。たとえば、テレビジョン受像機やパーソナルコンピュータにテレビ電話や録画機能を持たせる機種が増えている。また、携帯電話などの携帯端末やカーナビゲーション端末にＡＶ録画（録音）機能、ＡＶ再生機能を搭載した機種が増えている。
また、画質や音質調整をユーザが細かく設定できる機能も以前より充実してきている。これは、映像ソースまたは表示デバイスの種類が増え、その種類に応じて最適な画質が異なり、ユーザが最適な画質で映像を楽しむことができるようにする要請に応えるためである。
【０００３】
画質や音質の調整、機能の選択等を含む設定は、一般に、メニュー画面上で行う。メニュー画面は、いわゆるＯＳＤ(On-screen display)の機能を利用して予め生成した画像データとしてＲＯＭ等に保持されている。ユーザがメニューボタン等を押すとＲＯＭ内のメニュー画面が表示デバイスの画面上に呼び出されて表示される。
【０００４】
メニュー画面は、一般に、メインメニュー画面と、そのメインメニュー画面内の各項目に関連付けられた複数のサブメニュー画面とからなる階層構造を基本とし、必要に応じて、サブメニュー画面の各項目から、さらにその下位階層のサブメニュー画面を呼び出すことができる階層構造を備える（たとえば、特許文献１参照）。
【０００５】
ユーザは、メインメニュー画面から項目選択により順次下位のサブメニュー画面を呼び出し、最終的に、画質や音質あるいは機能選択のためのメニュー選択画面にたどり着く。メニュー選択画面には、たとえば画質調整の場合、「コントラスト」、「濃度」、「色合い」といった画質調整項目が割り当てられた複数個のサブ項目を有する。ユーザは、この画質調整のためのサブ項目を順次選択して、各サブ項目のユーザデータ（画質調整値）を順次変更することにより画質設定が可能である。
【０００６】
このようなメニュー設定時の項目移動や調整値の変更は、一般に、たとえばリモートコントローラに備える上下左右の方向キーと、決定キーとを操作することにより行う。つまり、方向キーでハイライトを所望の項目に移動させ、決定キーを押して項目選択を行い、さらに、ハイライトが調整値に移動した段階で方向キーを操作して調整値を変更し、決定キーを押す。この動作を、調整項目ごとに繰り返す。
【特許文献１】特開平９−３０５３６０号公報
【発明の開示】
【発明が解決しようとする課題】
【０００７】
ところが、この階層構造のメニュー画面上での調整は、調整したい項目を選択し、調整値を設定するということを繰り返し行わなければならないことから、ユーザに強いる操作回数が多く、煩雑である。
とくに画質調整等では、「コントラスト」、「濃度」、「色合い」といった画質調整項目の各調整値を総合的にバランスさせて画質の向上を図る必要があることから、一度設定した画質調整項目の項目でも、他の項目の調整後に再度調整する必要がある。したがって、一項目の調整時にユーザに強いる操作回数が多いと、全体としては非常に多い操作回数を経なければ所望の画質が得られない。
【０００８】
また、一般に、ある調整項目を表示中は、その上位に位置する上位階層のメニュー画面が消去される。その場合、調整項目が上位階層と下位階層に分かれて配置されていると、ある項目を調整後に、他の項目の調整をやり直したい場合に、階層間の移動を何度も繰り返す必要があり、さらに操作が煩雑である。
以上より、階層構造のメニュー選択画面では、スムーズに好みの設定をすることができないという不利益がある。
【０００９】
本発明が解決しようとする課題は、メニュー選択画面を見ながらスムーズに機能の選択や調整を行うことができる電子機器を提供することである。
【課題を解決するための手段】
【００１０】
本発明に係る電子機器は、表示デバイスに映像を表示可能な電子機器であって、前記表示デバイスの表示画面の中心から外周に向かう複数の方向に対して各々の方向ごとに、前記電子機器の機能あるいは特性を選択または調整するためのメニュー項目が１つずつ配置されているメニュー選択画面を生成または保持するＯＳＤ部と、前記メニュー選択画面での前記メニュー項目の配置の方向と数に対応して、メニュー項目を一の操作で指定可能な操作方向を複数もつ操作キーとを有する。
【００１１】
本発明では好適に、前記特性の調整のためのメニュー選択画面は、スケールを有するグラフとして調整値が視覚的に表示される。
好適に、前記特性の調整のためのメニュー選択画面は、中心から各コーナの頂点までの距離により調整値を表示する多角形グラフ表示画像を含む。
さらに好適に、前記中心から各コーナの頂点までの距離が前記調整値の各々の推奨値に設定された多角形グラフ表示画像である画質調整の推奨グラフを保持するメモリ部をさらに有し、前記制御手段は前記ＯＳＤ部を制御して、画質調整のためのメニュー選択画面に、当該メニュー選択画面に対応した前記推奨グラフを重ねて表示させる制御を実行する。
さらに好適に、前記メモリ部は、複数の番組カテゴリーごとに、各々のカテゴリーに適した前記画質調整の推奨グラフを保持し、前記制御部は、表示デバイスに表示させる映像のデータに添付されている電子番組ガイド（ＥＰＧ）のデータを取得する手段からＥＰＧデータを入力し、前記番組カテゴリーを検出して、検出した番組カテゴリーに適した前記画質調整の推奨グラフを前記メモリ部から前記ＯＳＤ部に読み出す制御を実行する。
【００１２】
以上の構成によれば、ＯＳＤ部から表示デバイスに出力され表示されたメニュー選択画面は、表示デバイスの表示画面の中心から外周に向かう複数の方向に対して各々の方向ごとにメニュー項目が１つずつ配置されている。また、これに対応して操作キーの複数の操作方向が規定され、一の操作方向への操作で、その操作方向と配置が対応したメニュー選択画面上のメニュー項目が指定される。
多角形グラフ画像が表示される場合、多角形グラフの各々のコーナがメニュー項目（調整項目）に対応し、しかも、各コーナの頂点から中心までの距離で調整値が表されている。ユーザは項目の調整値間のバランスを確認して各項目の調整を行う。このとき操作キーの一の操作方向を選ぶだけで、その方向に対応した多角形グラフのコーナの調整項目が指定される。
また、推奨グラフをＥＰＧデータ等から取得して表示させた場合、項目ごとに推奨値との差が一目で分かるため、ユーザは、これを手がかりに項目選択と調整量の決定を行う。
【発明の効果】
【００１３】
本発明によれば、メニュー選択画面を見ながらスムーズに機能の選択や調整を行うことができるという利点がある。
【発明を実施するための最良の形態】
【００１４】
以下、本発明の実施形態を、ディスプレイ（表示デバイス）を有する電子機器、たとえばテレビジョン受像機または映像（記録）再生機器を例として説明する。なお、本発明は、表示デバイスを外付けの電子機器にも適用可能である。
【００１５】
［第１実施形態］
図１に、本実施形態の電子機器の概略構成を示す。この電子機器は、たとえば、テレビジョン受像機、ＤＶＤレコーダ等の映像録画機器または映像再生機器等であるが、図１は共通の構成のみ示し、たとえばテレビジョン受像機の放送受信部および音声処理部などを省略している。
本電子機器１は、機器本体２とリモートコントローラ（Ｒ−ｃｏｎ．）１０とを有し、機器本体２に、映像信号処理部３、ＯＳＤ部４、画像合成（または画像切換）部５、ディスプレイ６、受光部７、本体側の操作部（本体キー）８、および、これらの各部を制御する制御部としてのマイクロコンピュータ（μ−ｃｏｍ．）９を備える。リモートコントローラ１０は、不図示の赤外線発光部と、操作部（リモコンキー）１１を備える。
【００１６】
なお、マイクロコンピュータ９は、機器本体２全体を制御する、いわゆるシステムマイコンでもよいし、ユーザインターフェースを担うモジュールのマイクロコンピュータと、グラフィック描画のためのモジュールのマイクロコンピュータとをバスラインで双方向通信可能に接続したものでもよい。ここではマイクロコンピュータ９によりシステム全体を制御する場合を例とする。
【００１７】
図２に、いわゆる階層構造のメニュー表示を模式的に図解して示す。これは、図１に示すディスプレイ６にメニュー表示するためのＯＳＤ画像データの階層構造を示すものであり、たとえばＯＳＤ部４が備えるＲＯＭ４Ａ内にグラフィック画像として予め内蔵されている。詳細は後述するが、グラフィック画像に重ねて表示される、画質や音質等のユーザ設定値（たとえば調整値）は、マイクロコンピュータ９内のレジスタ（書き換え可能なメモリ）あるいはＯＳＤ部４内のＲＡＭ４Ｂ等に保持可能である。
なお、ユーザ設定値をマイクロコンピュータ９内のレジスタ等に保存する場合はＲＡＭ４Ｂを省略することが可能である。また、ＲＯＭ４Ａの機能を、マイクロコンピュータ９内またはマイクロコンピュータ９に接続させた読み出し専用メモリに持たせることもできる。
【００１８】
図解した階層構造のメニュー表示は、たとえば、ユーザがリモートコントローラ１０のリモコンキー１１に含まれるメニューボタン（不図示）を押すことによって開始され、図２に示すように、最初に、第１階層のメインメニュー画面２０が現れる。
メインメニュー画面２０は、任意の個数（ここでは８個）の項目１,…,項目８を含む。各項目は当該テレビジョン受像機の設定および調整のための機能選択項目であり、たとえば「画質調整」、「音声調整」、「日時設定」、「チャンネル設定」、「バックライト調整」などの機能表示をともなう。
【００１９】
ユーザ操作により、ハイライトエリアを移動させ、メインメニュー画面の項目が一つ選ばれると、たとえば、その項目がハイライトから特定色に変化し、選択されたことが決定（確定）すると、そのことが識別可能になるとともに、第１階層より１階層下位の第２階層のサブメニュー画面３１〜３８の一つが現れる。
本例では、第２階層のサブメニュー画面３１〜３８が調整画面となっている。たとえばメインメニュー画面２０の項目１が画質調整の場合、「コントラスト」、「濃度」、「色合い」、・・・といった画質調整メニューが割り当てられた複数個（ここでは８個）のサブ項目１−１,１−２,…,１−８を、このサブメニュー画面３１に含む。
【００２０】
サブ項目１−１,１−２,…,１−８の各々に、ユーザにより設定および変更が可能な調整値のデータ（ユーザデータ）を有している。図２では、各サブ項目にユーザデータの値（ユーザ値）が対応付けられているが、このユーザ値は必ずしも数値として画面表示されるとは限らない。
【００２１】
他の項目、たとえば項目８にも同様にサブ項目とユーザデータが割り当てられているが、サブ項目数は最大数（本例では８）までの範囲で任意である。
他の調整画面の例としては、音声調整のサブ項目として「音量」、「Ｈｉｇｈ」「Ｍｉｄ」「Ｌｏｗ」等の周波数帯域、各種音楽ソースに適したイコライザ、たとえば「ジャズ」「クラッシック」「ポップス」等が割り当てられたものを挙げることができる。
【００２２】
このような階層構造のメニュー表示がディスプレイに表示された状態で、ユーザ操作により、各項目の指示、たとえば強調表示領域（ハイライトエリア）の移動や項目選択（および決定）等を行い、画質調整等のメニューを含む所望の調整画面を表示させ、そのユーザデータを初期値から変更することによって各種調整が実行される。
【００２３】
以上述べてきたメニュー表示の階層構造の基本概念は従来でも同じであるが、本実施形態では、少なくとも調整画面における、画面表示の具体的方法、その調整項目の選択と決定の方法、これをユーザが実行するための操作キーの構成等に大きな特徴を有する。
以下、これらの点について図面を用いて説明する。
【００２４】
本実施形態では、メニュー選択画面が、表示デバイスの表示画面の中心から外周に向かう複数の方向に対して各々の方向ごとに、電子機器の機能あるいは特性を選択または調整するためのメニュー項目が１つずつ配置されている。ここで「メニュー選択画面」は、図２に示すメインメニュー画面２０など、単に項目を選択するための画面と、サブメニュー画面３１,…,３８のように項目（メニュー）を選択し、その値を調整するための調整画面の双方を含む。
【００２５】
また、本実施形態の電子機器は、上記メニュー選択画面でのメニュー項目の配置の方向と数に対応して、メニュー項目を一の操作で指定可能な操作方向を複数もつ操作キーを備える。
【００２６】
この操作キーとしては、図１のリモコンキー１１または本体キー８に含む、たとえば８方向ジョイスティック型の操作キーが好適である。なお、ジョイスティック型以外ではトラックボール型、８方向に傾く平板状のボタン等で操作キーを形成してもよい。
【００２７】
図３に、８方向ジョイスティック型操作キーを示す。
この操作キー４０は、中央のジョイスティック４１と、その周囲の方向表示部４２とを備え、８方向の何れかにジョイスティック４１を倒すことにより、メニュー項目の選択が可能である。
【００２８】
図４に項目を選択するメインメニュー画面例を示し、図５および図６にメサブメニュー画面（調整画面）を２例示す。
【００２９】
図４に示す画面では、たとえば「画質調整」、「音声調整」、「日時設定」、「チャンネル設定」、「バックライト調整」、「録画設定」、「その他の機能設定」、「戻る」などの８項目が環状に配置されている。なお、「戻る」の項目は、別のキーに割り当ててもよいが、余裕があれば、この８項目の１つとして割り当てておけば、上位階層への移動操作が楽であり、望ましい。
【００３０】
図５は画質調整画面を示すものであり、「コントラスト」、「色合い」、「シャープネス」、「カラー」、「色温度」、「ノイズ」、「ディテール」、「黒補正」などの８項目が環状に配置されている。また、各項目に調整値の表示がなされている。この調整値の表示は、図示のように数値として表示してもよいし、また、項目表示の近く、たとえば「コントラスト」の項目表示で代表して示すように、その下部にバー表示するなど、他の方法で表示可能である。
【００３１】
ところで、画質調整等では各項目の調整値のバランスを見たい場合がある。そのような場合、スケールを有するグラフとして調整値が視覚的に表示されることが望ましい。このような表示としては、いわゆるレーダーチャートに代表される、中心から各コーナの頂点までの距離により調整値を表示する多角形グラフ表示が望ましい。
【００３２】
図６は、画質調整用のレーダーチャートを示すものであり、８角形の各頂点に「コントラスト」、「色合い」、「シャープネス」、「カラー」、「色温度」、「ノイズ」、「ディテール」、「黒補正」などの８項目が割り当てられ、各項目の調整値を８角形グラフ５０の中心からの距離で表している。
レーダーチャートでは、各項目のバランスが一目でパターン認識できるという利点がある。なお、８項目の一つに「戻る」の機能を割り当てておけば、上位階層への移動が楽であり好ましい。
【００３３】
つぎに、以上の図画面における項目選択と決定の制御方法について述べる。
この制御は、図１に示す受光部７が、リモコンキー１１から発せられる赤外線等のリモコン信号に基づいて、マイクロコンピュータ９により実行される。より詳細には、受光部７からのリモコン信号を不図示のデコーダでデコード後に、マイクロコンピュータ９に入力する。マイクロコンピュータ９は、リモコン信号が示すキー操作のタイミング、操作方向（図３の矢印の向き）、及び／又は、操作時間等に応じてＯＳＤ部４を制御し、メニュー画面のハイライトエリアの移動や決定、さらには、調整値の変更等を実行する。
【００３４】
項目選択から決定に至る具体的な制御は種々考えられるが、たとえば、単に項目を選択する図４の場合、その画面がディスプレイに表示されてから、図３に示すジョイスティック４１が８つの方向の何れかの側に倒されれば、項目の選択がされたとして、即決定までを行うことができる。あるいは、操作時間（ジョイスティックを倒す時間）が比較的短い場合は決定までは行わずに、操作時間がある閾値を超えて比較的長い場合は決定まで行うようにしてもよい。
何れにしても、項目が選択された場合は、その項目へハイライトエリアが移動し、さらに決定された場合は、そのハイライトされた項目の色や輝度の変化等で、選択と決定が識別可能に表示されることが望ましい。
【００３５】
一方、調整値が数字や多角形グラフ等で表示されている図５や図６の場合、たとえば、その調整画面がディスプレイに表示されてから、図３に示すジョイスティック４１が８方向の何れかに倒された最初の操作で項目の選択（及び決定）を行う。つまり、この最初の操作に基づいて、上述したように、項目の選択と決定を連続して自動で行う、あるいは、閾値を設け、操作時間が閾値を超えるか否かに応じて決定まで行うかを規定する。
この場合も、項目が選択されたときに、その項目へハイライトエリアが移動し、さらに決定された場合は、そのハイライトされた項目の色や輝度の変化等で、選択と決定が識別可能に表示されることが望ましい。
【００３６】
そして、決定後にキー操作が行われると、そのキー操作に基づいて調整値の変更を行う。たとえば、上方向（ユーザからみて奥側）にジョイスティックを倒した場合は調整値を初期値から上げ、下方向（ユーザからみて手前側）にジョイスティック４１を倒した場合は調整値を初期値から下げるようにする。このときジョイスティック４１の操作ごとに所定ステップで調整値を変更するか、その一回の操作における時間（ジョイスティックに加えた力を解除するまでの時間）で調整値の変更幅を制御するかは任意である。
【００３７】
また、他の制御方法としては、調整画面がディスプレイに表示されてから、図３に示すジョイスティック４１が８方向の何れかに倒されたときに選択と決定を連続して行い、さらに、その操作時間に応じて調整値の変更まで一気に行うようにしてよい。
たとえば、ジョイスティック４１がある方向に倒されると、調整値が初期値から「上がる」方向に自動で円環状にインクリメントされていく。この場合、値が最大値になるとつぎに最小値に飛び、最小値から最大値に向かってインクリメントされる。これとは逆に「下がる」方向に値を円環状にデクリメントしてもよいし、また、最大値と最小値の間を値が往復運動するようにしてもよい。
何れにしても、ユーザがジョイスティック４１に与える力を解除した時点での値が「調整値」として設定される。
【００３８】
このようなメニュー画面の項目配置と操作キー（ジョイスティック等）との組み合わせでは、項目とその選択のための操作の方向が一致しており直感的に分かりやすい。
また、決定ボタンを設ける必要がなく、一の操作で項目指定（選択、または、選択と決定）が可能である。調整画面では、さらに、調整値の変更までが同じ操作キーを用いて、しかも、手を離すことなく連続して行うことができる。
とくに調整値の変更が円環状または往復運動状に自動変更される後者の例では、一の操作でメニュー項目の選択、決定および調整値変更の一連の動作を実行できる。
【００３９】
［第２実施形態］
図７に、本実施形態の電子機器の概略構成を示す。この電子機器は、たとえば、テレビジョン受像機などの放送受信の機能を有する。
図７の電子機器は、放送の受信部２１と、受信部で復調された映像信号から番組情報を取得するＥＰＧ取得部２２とを備える。図１と同一符号が付された他の構成は、ここでの説明を省略する。
ＥＰＧ取得部２２は、デジタル放送の場合、たとえばＴＳ(Transport Stream)デコーダなどのパケットを識別する機能を備える部分であり、この機能を用いてＥＰＧの番組情報を取得する。取得した番組情報はマイクロコンピュータ９に送られ、ここで、現在受信している映像信号がどのような番組カテゴリー、たとえば「スポーツ」、「ドラマ」、「バラエティ」、「映画」、「紀行など風景主体の番組」等の何れに属するかを検出する。
【００４０】
マイクロコンピュータ９内のメモリ領域、ＯＳＤ部４内のＲＯＭ４Ａ、または、マイクロコンピュータ９に外付けされたメモリ（不図示）に、番組カテゴリーごとの画質調整値の推奨値を示すグラフ（推奨グラフ）が予め保持されている。この推奨グラフが予め保持されているメモリ（領域）が、本発明の「メモリ部」の実施例に該当する。
マイクロコンピュータ９は、現在受信している映像信号の番組カテゴリーに応じて、その番組に適した画質調整値を示す推奨グラフを特定し、これを上記メモリ部から読み出して、ＯＳＤ部４でユーザ操作に応じて表示されているレーダーチャートに推奨グラフを重ねる処理を制御する。
【００４１】
図８に、この制御が実行されたときに画像合成部５から出力されディスプレイ６で表示されるレーダーチャートの例を示す。
本例でのレーダーチャートでは、ユーザ設定のグラフ５０に重ねて、番組カテゴリー（ここでは「スポーツ」）に適した画質調整値を示す推奨グラフ５１が表示されている。
ユーザは、この推奨グラフ５１を参考にして各項目を推奨値に合わせることができる。また、ユーザは、推奨値を基準にして、自分の好みの映像を得るための調整値の変更を容易に行うことができる。たとえば、各項目の値を推奨値に合わせた後、項目の調整値を個々に変化させて、ユーザの好みに合う画質を探すことが容易にできる。
【００４２】
一方、アナログ放送の場合、映像信号にＥＰＧ情報を含まないことから、図７においてＥＰＧ取得部２２は設けられていない。この場合、ユーザが視聴している映像ソースがどの番組カテゴリーに分類されるかを判別し、その判別の結果（番組カテゴリー）を設定する。
【００４３】
図９に、ＥＰＧ取得部の有無に応じた処理フローの違いを示す。
画質調整画面がユーザにより選択され、決定すると（ステップＳＴ１）、つぎにレーダチャート（図８参照）を表示する（ステップＳＴ２）が、この表示処理ではＥＰＧ取得部の有無により、以下のように推奨グラフの特定の仕方が異なる。
【００４４】
ステップＳＴ２１の判断で「ＥＰＧ取得部あり」と判断されると、番組情報がＥＰＧ取得部２２（図７）により取得され（ステップＳＴ２２Ａ）、その取得した番組情報のカテゴリーに適した推奨グラフのデータがメモリ部から読み出されて、当該表示処理でレーダーチャートに重ねられる（ステップＳＴ２３）。
一方、ステップＳＴ２１の判断で「ＥＰＧ取得部なし」と判断されると、ユーザが選択した番組カテゴリーを参照して（ステップＳＴ２２Ｂ）、その番組カテゴリーに適した推奨グラフのデータがメモリ部から読み出されて、当該表示処理でレーダーチャートに重ねられる（ステップＳＴ２３）。
その後、ユーザがレーダーチャートを見て、好みの画質調整を行う（ステップＳＴ３）。
【００４５】
なお、一旦レーダーチャートを表示して、ステップＳＴ２１〜ＳＴ２３の処理を実行して特定した推奨グラフを重ねるようにしてもよいし、ステップＳＴ２１〜ＳＴ２３の処理を予め実行して推奨グラフが重ねられた後にレーダーチャートを表示してもよい。
ステップＳＴ２２Ｂで参照する番組カテゴリーのユーザによる選択は、レーダーチャートの表示中にポップアップ表示で選択画面を表示させることでユーザに番組カテゴリーの選択を促してもよいし、画質調整画面の選択（ステップＳＴ１）後でレーダーチャートを表示する前に、この番組カテゴリー選択のためにメニュー選択画面を１階層設けてもよい。あるいは、画質調整画面の選択（ステップＳＴ１）に先立って、たとえばメインメニュー画面の「その他の機能」内に「番組カテゴリー選択」の機能を持たせてもよい。
【００４６】
表示すべき推奨グラフが確定したら、自動でユーザ設定用のグラフが推奨グラフと重なるように、各画質調整値をプリセットしてもよい。多くの場合、ユーザは推奨グラフの画質で不満なときは、ユーザ設定用のグラフの項目を個々に調整して好みの画質を探すと考えられ、そのような場合、この画質調整値の推奨値への自動プリセットの機能があると使いやすい。メインメニュー画面の「その他の機能」内に「番組カテゴリー選択」の機能を持たせた場合、この自動プリセットの機能を画質のみならず、音質等に対しても適用すると、音質調整などの他の調整においても番組カテゴリーに適合した初期値が与えられ、望ましい。
一方、たとえば画質等の好みがうるさいユーザにとっては、自動プリセットが働くと、推奨値から好みの画質等に調整する手間が煩わしい場合もあることを考慮し、この自動プリセットの機能を解除可能にしてもよい。
【００４７】
以上の第１および第２実施形態では、調整項目数が８の場合を例示し、それに対応して操作キーも８方向操作のものを例示したが、この項目数や操作方向数は８に限定されない。
また、項目数を必要な数に調整画面ごとに変更するもできる。この場合、操作キーの操作方向の数と配置を、適宜変更可能にすることもできる。たとえば、調整画面の項目数が８から６に変更された場合は、図３に示す方向表示部４２をユーザが手で回すと６方向表示の矢印が記載された方向表示面が現れ、その矢印に適合してジョイスティック４１を倒すことができる範囲が６つの方向に制限されるようにしてもよい。
【００４８】
第１および第２実施形態では、電子機器の機能選択及び／又は特性調整の際に、ユーザが行うキー操作ステップ数が削減できる。また、特性調整の際に、どのようなバランスで画質等の設定がなされているかをユーザが判断しやすい表示になっている。このため、操作したい項目を選択し値を設定するということを繰り返しおこなわなければならないというユーザにとって煩わしい操作を省略することができる。さらに、メニュー選択画面の項目配置と、操作キーの操作方向が対応しており、直感的で分かりやすいユーザインターフェースが実現されている。
また、メニュー項目に「戻る」を割り当てておけば、階層間の移動もスムーズに行えることから、さらに使いやすくできる。
【００４９】
とくに第２実施形態では、レーダーチャートに推奨値を示す推奨グラフが重ねて表示されることから、この推奨グラフが調整時の目安となり、調整がしやすくなる。
【図面の簡単な説明】
【００５０】
【図１】第１実施形態の電子機器の概略構成図である。
【図２】階層構造のメニュー表示の模式図である。
【図３】８方向ジョイスティック型操作キーを示す図である。
【図４】メインメニュー画面の例を示す図である。
【図５】メサブメニュー画面（調整画面）の第１の例を示す図である。
【図６】調整画面の第２の例を示す図である。
【図７】第２実施形態の電子機器の概略構成図である。
【図８】推奨グラフが重ねられたレーダーチャート例を示す図である。
【図９】ＥＰＧ取得部の有無に応じた処理フローの違いを示す説明図である。
【符号の説明】
【００５１】
１…電子機器、２…機器本体、３…映像信号処理部、４…ＯＳＤ部、４Ａ…ＲＯＭ、５…画像合成（または画像切換）部、６…ディスプレイ、７…受光部、８…本体キー、９…マイクロコンピュータ、１０…リモートコントローラ、１１…リモコンキー、２０…メインメニュー画面、２１…受信部、２２…ＥＰＧ取得部、３０…サブメニュー画面、４０…８方向ジョイスティック型操作キー、４１…ジョイスティック、４２…方向表示部、５０…ユーザ設定のグラフ、５１…推奨グラフ
【図１】
2006350721.tif 000003
【図２】
2006350721.tif 000004
【図３】
2006350721.tif 000005
【図４】
2006350721.tif 000006
【図５】
2006350721.tif 000007
【図６】
2006350721.tif 000008
【図７】
2006350721.tif 000009
【図８】
2006350721.tif 000010
【図９】
2006350721.tif 000011